(57)【要約】      （修正有）【課題】シャンプー等の液体製品を詰替え製品収容器から本体収容器に移す際に、漏れを生じることなく素早く詰め替えることを可能とする構造を有する液体製品の本体収容器及び詰替え製品収容器の注ぎ口の構造を提供する。【解決手段】液体製品本体収容器１の注ぎ口１１のキャップ取付け部の内周面に雌螺子１２が形成されており、詰替え製品収容器２の注ぎ口２１の外周面の雄螺子２２と螺合する。詰替え製品収容器２の注ぎ口２１を前記構造を有する本体収容器１の注ぎ口１１に挿入し、回転させることにより両容器の注ぎ口を螺着かつ結合させる。【選択図】図２
0003206935.tif 000002
【実用新案登録請求の範囲】
【請求項１】
本体収容器及び詰替え製品収容器により構成される液体製品収容器の注ぎ口の構造であって、
前記本体収容器の注ぎ口の内周面には雌螺子が形成され、
前記雌螺子は前記詰替え製品収容器の注ぎ口の外周面に形成された雄螺子と螺合することを特徴とする液体製品収容器の注ぎ口の構造。
【請求項２】
前記詰替え製品収容器の前記注ぎ口の内周面には雌螺子が形成され、
前記雌螺子は前記本体収容器の前記注ぎ口の外周面に形成された雄螺子と螺合することを特徴とする請求項１記載の液体製品収容器の注ぎ口の構造。
【考案の詳細な説明】
【技術分野】
【０００１】
本考案は、本体収容器及び詰替え製品収容器により構成される液体製品収容器の注ぎ口の構造に関する。
【背景技術】
【０００２】
シャンプー等の液体製品は専用の本体収容器に入れて市販されているが、本体収容器の注ぎ口として固有の部品を有するものについては、別途、詰替え用として、本体収容器とは別の容器に収容して、本体よりも安価に市販されているものも多く見受けられる。本体収容器の再利用を可能とすることにより、メーカー・需要者双方のコスト削減を意図するものである。
【０００３】
上記詰替え用の製品を購入した需要者が中身を本体収容器に移す際は、本体収容器と詰替え製品収容器の注ぎ口同志を着接させて直接注ぎ込むか、漏斗等の媒介具を使用することが多い。また、近年、詰替え製品収容器の注ぎ口に直接設置できる小型ポンプが市販されている。
【先行技術文献】
【特許文献】
【０００４】
【特許文献１】特開２００５−４７５２０号
【特許文献２】特開２０１２−１０６７５６号
【考案の概要】
【考案が解決しようとする課題】
【０００５】
上述したように、詰替え用の液体製品を本体収容器に移す際には、両方の収容器の注ぎ口を近接させて液を直接注ぎ込むか、媒介具を使用することが多い。しかし、直接流し込む場合には、時間がかかるうえ、注入の際に液が漏れて、ボトルの外面や周辺を汚したりして後始末に手間がかかることが多い。また、これを避けようと、漏斗等を使用しても、使用後の洗浄等、後始末が面倒である。さらに問題なのは、どちらの場合も詰替えのたびに、一定程度の量の製品が無駄になり、不経済が生じることである。
【０００６】
特許文献１及び２には、ポンプを使用した詰替え容器についての提案がなされているが、ポンプの使用は構造が複雑になることから製造コストが高くなり、製品価格の上昇につながる。
【０００７】
また、シャンプー等の利用に特化して、詰替え製品収容器の注ぎ口に直接設置して使用できるポンプのみが市販されているが、すべての容器や液体の種類に適合するわけではないし、購入により、その分経費が増し、詰替え用の製品を購入する意味が薄れてしまう場合もある。
【０００８】
上述の問題に鑑み、本考案においては、シャンプー等の液体製品を詰替え製品収容器から本体収容器に移す際に、漏れを生じることなく素早く詰め替えることを可能とする構造を有する液体製品の本体収容器及び詰替え製品収容器の注ぎ口の構造を提供することを課題とする。
【課題を解決するための手段】
【０００９】
上記課題を解決するために、請求項１に記載の考案は液体製品の本体収容器の注ぎ口の内周面に雌螺子が形成されていることを特徴とする。一方、前記液体製品の詰替え製品収容器の注ぎ口の外周面には、キャップ装着用の雄螺子が形成されているが前記雌螺子は前記雄螺子と螺合する。前記詰替え製品収容器の注ぎ口を前記構造を有する前記本体収容器の注ぎ口に挿入し、前記詰替え製品収容器を回転させることにより、両容器の注ぎ口同志が螺着する。本構造により、前記液体製品の、漏れのない迅速な詰替えが実現する。
【００１０】
請求項２に記載の考案は液体製品の詰替え製品収容器の注ぎ口の内周面に雌螺子が形成されていることを特徴とする。一方、前記液体製品の前記本体収容器の注ぎ口の外周面には、専用の給液器具装着用の雄螺子が形成されているが前記雌螺子は前記雄螺子と螺合する。前記本体収容器の注ぎ口を前記構造を有する前記詰替え製品収容器の注ぎ口に挿入し、前記本体収容器を回転させることにより、両容器の注ぎ口同志が螺着する。本構造により、前記液体製品の、漏れのない迅速な詰替えが実現する。
【考案の効果】
【００１１】
シャンプー等の液体製品を詰替え製品収容器から本体収容器に移す際に、漏れを生じることなく迅速に詰め替えることが可能となる。
【００１２】
詰替え後に、本体収容器の外面に付いた液の拭き取りや、漏斗等の媒介物の洗浄等、面倒な後始末を行う必要がなくなる。
【図面の簡単な説明】
【００１３】
【図１】実施形態１の液体製品本体収容器の注ぎ口の構造を示す斜視図である。
【図２】詰替え製品収容器の注ぎ口を実施形態１の本体収容器の注ぎ口に挿入する直前の状態を示す斜視図である。
【図３】詰替え製品収容器の注ぎ口と実施形態１の本体収容器の注ぎ口が螺着した状態で詰替え作業を行っている状態を示す写真である。本写真においては、本体収容器を仮想してペットボトルを使用している。
【図４】実施形態２の液体製品本体収容器の注ぎ口の構造を示す斜視図である。
【図５】本体収容器の注ぎ口を実施形態２の詰替え製品収容器の注ぎ口に挿入する直前の状態を示す斜視図である。
【考案を実施するための形態】
【００１４】
以下、実施形態１及び実施形態２に係る液体製品収容器の注ぎ口の構造について、図を用いて説明する。
【００１５】
（実施形態１）
実施形態１においては、本体収容器１の注ぎ口１１の内周面に雌螺子１２が形成されている。図１は本体収容器１の注ぎ口１１の拡大斜視図である。本体収容器１の注ぎ口１１は、通常外周面に専用の用具を装着するための雄螺子１３が形成されているが、内周面には何も施されていない。一方、メーカーが別売する詰替え製品収容器の注ぎ口２１の外周面には、もともと、キャップ装着用の雄螺子２２が形成されている。本考案の意図するところは、前述の本体収容器１の注ぎ口１１の前記内周面に、メーカー製造段階で雌螺子１２を形成し、詰替え製品収容器２の注ぎ口２１の外周面に形成された雄螺子２２と螺合させるものである。
【００１６】
図２は、詰替え製品収容器２の注ぎ口２１を本体収容器１の注ぎ口１１に挿入する直前の状態を示す。両者を螺着かつ密着させるべく、本体収容器１の注ぎ口１１の口径は、同時に販売する詰替え製品収容器２の注ぎ口２１のそれよりも大きめに作成し、雌螺子１２のピッチは雄螺子２２のピッチと同じくする。
【００１７】
詰替え製品収容器２の注ぎ口２１を、前記構造を有する本体収容器１の注ぎ口１１に挿入し、詰替え製品収容器２を回転させることにより、両容器の注ぎ口同志が螺着し密着する。本構造により、前記液体製品の、漏れのない迅速な詰替えが実現する。
【００１８】
（実施形態２）
実施形態２においては、本体収容器１ではなく詰替え製品収容器２の注ぎ口２１の内周面に雌螺子２３が形成されている。図４は詰替え製品収容器２の注ぎ口の拡大斜視図である。一方、本体収容器１の注ぎ口１１の外周面には、専用の給液器具装着用の雄螺子１３が形成されている。実施形態２では、実施形態１とは逆に、本体収容器１の注ぎ口１１を詰替え製品収容器２の注ぎ口２１に挿入し回転させることにより、両注ぎ口を螺着かつ結合させるものである。
【００１９】
図５は、本体収容器１の注ぎ口２１を詰替え製品収容器２の注ぎ口１１に挿入する直前の状態を示す。本実施形態においては、詰替え製品収容器２の注ぎ口２１の口径の方が、本体収容器１の注ぎ口１１のそれよりも大きめに作成されている。雌螺子２３のピッチと雄螺子１３のピッチは同じである。
【符号の説明】
【００２０】
１    本体収容器
１１  本体収容器の注ぎ口
１２  雌螺子（内周面）
１３  雄螺子（外周面）
２    詰替え製品収容器
２１  詰替え製品収容器の注ぎ口
２２  雄螺子（外周面）
２３  雌螺子（内周面）
【図１】
0003206935.tif 000003
【図２】
0003206935.tif 000004
【図３】
0003206935.tif 000005
【図４】
0003206935.tif 000006
【図５】
0003206935.tif 000007